(57)【特許請求の範囲】
【請求項１】
走行機体の後方に、リンク装置を介して昇降可能に装着されたロータリを備え、該ロータリの耕耘爪軸を覆うロータリカバーの後部に、回動自在に軸支されたリヤカバーを有するロータリのリヤカバー装置において、
前記リヤカバーを一体成形の樹脂部材で形成し、
前記リヤカバーはその断面を密閉された空洞を有する袋状にしてなり、
前記リヤカバーの背面をほぼ直線状にすると共に、
前面は、前方に向け、側面視で上部及び下方先端部よりも中間部が厚くなるように曲線に構成した、
ことを特徴とするロータリのリヤカバー装置。
【発明の詳細な説明】
【０００１】
【発明の属する技術分野】
本発明は、農耕用作業車輛の後方に、リンク装置を介して昇降可能に装着し、農耕地を耕耘するロータリに係り、詳しくは、ロータリのリヤカバー装置に関する。
【０００２】
【従来の技術】
従来、走行機体の後方に、リンク装置を介して昇降可能に装着されたロータリの、耕耘爪軸を覆うロータリカバーの後部に、回動自在に軸支されたリヤカバーは、曲線構造の鉄板製で構成されたものは既に知られている。
【０００３】
【発明が解決しようとする課題】
既に知られている、鉄板製で構成されたロータリのリヤカバーは、重量が重く、走行機体の最後部に位置するため、走行機体の前後のバランスが不良となり、勢い、走行機体の前方にバランスウエイトを付加して前後のバランスを維持するが、走行機体とロータリの合計重量が増し、特に湿田では走行が困難になった。
【０００４】
また、鉄板製は、土の滑りが悪く、リヤカバーの先端部で耕耘後の土の表面を均す際、表面土がリヤカバーの先端部に引きずられて均平な仕上げをすることが困難であった。更に、リヤカバーの前面に耕耘土の付着が多く、リヤカバーの重量が更に増し、走行機体の前後のバランスを悪くして、耕耘性能を充分発揮できないことがあった。
【０００５】
そこで、本発明は、ロータリのリヤカバーを合成樹脂で形成し、軽量にすると共に、耕耘土の付着を少なくし、耕耘後の土の表面を均平にして耕耘性能を向上することを目的とする。
【０００６】
【課題を解決するための手段】
本発明は、上述事情に鑑みなされたものであって、走行機体（１）の後方に、リンク装置（２）を介して昇降可能に装着されたロータリ（３）を備え、該ロータリ（３）の耕耘爪軸（６）を覆うロータリカバー（８）の後部に、回動自在に軸支されたリヤカバー（１２）を有するロータリ（３）のリヤカバー装置において、前記リヤカバー（１２）を一体成形の樹脂部材で形成し、前記リヤカバー（１２）はその断面を密閉された空洞を有する袋状にしてなり、前記リヤカバー（１２）の背面をほぼ直線状にすると共に、前面は、前方に向け、側面視で上部（１２ａ）及び下方先端部（１２ｂ）よりも中間部（１２ｃ）が厚くなるように曲線に構成して、上述の課題を解決した。
【０００７】
（作用）
上記構造に基づき、走行機体（１）が前進しながら後部に装着したロータリ（３）により耕耘作業を行なうと、前記耕耘爪軸（６）に配設された多数の耕耘爪（７）によって、未耕地が耕耘され、耕耘された土は、勢いよく後方に跳ね飛ばされ、回動自在に軸支されたリヤカバー（１２）の前面に当たり、堆積して抵抗となるが、該リヤカバー（１２）の前面の曲線断面の分力と走行機体（１）の前進力によって、リヤカバー（１２）が上方に回動し、耕耘された土は、リヤカバー（１２）先端部（１２ｂ）に均されて後方に逃がされる。この際、リヤカバー（１２）は、樹脂部材で形成され、前面中間部（１２ｃ）から先端部（１２ｂ）に向かって円滑な曲線に構成されているので、前面の土の付着もなく、先端部（１２ｂ）による土の引きずりもなく、表面を均平に仕上げることができる。
【０００８】
【発明の実施の形態】
以下、図面に沿って、本発明の実施の形態について説明する。
【０００９】
農用トラクタ１の後方には、リンク装置２を介してロータリ３が昇降可能に装着されている。一方、農用トラクタ１の動力はトランスミッション４の後部中央のＰＴＯ軸５からロータリ３側のギヤケース３ａに伝達され、更に、伝動装置３ｂを経て耕耘爪軸６を駆動し、耕耘爪軸６に複数本配設された耕耘爪７を回転させて、農耕地を耕耘する。
【００１０】
耕耘爪軸６を覆うロータリカバー８は、前記ギヤケース３ａに固着されると共に、その上面には複数列のローラ９を固着し、該ローラ９に案内されてロータリカバー８の上面に沿って、円弧状の回動フレーム１０が前後に摺動可能に装着されている。
【００１１】
前記回動フレーム１０の後端は、横方向に延設した角パイプ１０ａによって連結され、上部面には、リヤカバー１２を加圧スプリング１３を介して懸垂保持するブラケット１０ｂが固設され、更に、前記角パイプ１０ａの下部の左右両端には前記リヤカバー１２の上部端を回動自在に軸支するシャフト１０ｃが固設されている。
【００１２】
前記リヤカバー１２は、一体成形の樹脂部材で形成され、図３，図４及び図５に示すように、その断面を密閉された空洞を有する袋状にしてなり、その背面をほぼ直線状にすると共に、前面は、前方に向け、側面視で上部１２ａ及び下方先端部１２ｂよりも中間部１２ｃが厚くなるように曲線に構成されている。
【００１３】
前記リヤカバー１２の上部端は、図２及び図４に示すように、シャフト１０ｃに嵌合するパイプ１５ａを両端に有する支点ブラケット１５が、リヤカバー１２本体にボルト１６によって取付けられている。
【００１４】
前記リヤカバー１２の背面中間部には、図２及び図５に示すように、一部に左右２箇所に平面部を設け、コ字形断面のブラケット１８が、前方から丸ビス１９及びナット２０により装着され、前記ブラケット１０ｂとの間に前記加圧スプリング１３を介してロッド２１でリヤカバー１２を懸垂している。  前記支点ブラケット１５の幅は、前記左右のシャフト１０ｃ先端間距離より僅かに短く、先ず一方端から、パイプ１５ａを対向するシャフト１０ｃに挿入し、次にリヤカバー１２全体を他端側にずらせながら、他方端のシャフト１０ｃ’に対向するパイプ１５ａ’を挿入し左右が嵌合した段階で、前記ブラケット１０ｂと前記ブラケット１８をロッド２１で連結すると、リヤカバー１２全体は、左右の位置が固定されると共に、前記シャフト１０ｃ及びシャフト１０ｃ’の回りに回動自在に軸支されることとなる。
【００１５】
前記リヤカバー１２の中央部の、中間部から先端部にかけて、図２に示すように、培土器装着時に邪魔にならないように、ほぼ三角形に切欠かれているが、培土器不装着時には、該部から耕耘した土が後方に飛散しないように、図６に示すような、その左右のリヤカバー１２の断面と連続した断面を有する中空三角板２３が設けられている。
【００１６】
前記リヤカバー１２の切欠き部と中空三角板２３との接合部は、図７に示すように、双方前方に向かう傾斜面２３ａで重合し、中空三角板２３の背面に設けられたビス孔２３ｂを使用してビス２４により取付板２５が取付けられ、取付板２５を介してノブ２６により、リヤカバー１２の背面に設けられたビス孔１２ｄに固定され、先端をリヤカバー１２の本体と同一線に揃えている。
【００１７】
また、リヤカバー１２の左右両端部は図２に示すように、両尾輪使用時に邪魔にならないように、先端から中間部までほぼ三角形に切欠かれているが、両尾輪不使用時には、該部から耕耘した土が後方に飛散しないように、カバー２７，２７’をリヤカバー１２の切欠端に設けられた背切り部１２ｅに重合して、ビス２８によって固定され、両端及び先端をリヤカバー１２の本体と同一線に揃えている。
【００１８】
次に本実施の形態の作用について説明する。
【００１９】
上記構造に基づき、農用トラクタ１が前進しながら後部に装着したロータリ３により耕耘作業を行なうと、前記耕耘爪軸６に配設された多数の耕耘爪７によって、未耕地が耕耘され、耕耘された土は、勢いよく後方に跳ね飛ばされ、回動自在にシャフト１０ｃに軸支されたリヤカバー１２の前面中間部１２ｃに当たり、堆積して抵抗となるが、該中間部１２ｃから下方の先端部１２ｂにかけての前面の曲線断面の分力と農用トラクタ１の前進力によって、リヤカバー１２は、前記加圧スプリング１３の加圧力に抗して、シャフト１０ｃの回りに上方に回動し、耕耘された土は、リヤカバー１２の前記先端部１２ｂに均されて後方に逃がされる。
【００２０】
この際、リヤカバー１２は、樹脂部材で形成され、前面中間部１２ｃから先端部１２ｂに向かって円滑な曲線に構成されているので、前面の土の付着もなく、先端部１２ｂによる土の引きずりもなく、表面を均平に仕上げることができる。
【００２１】
また、リヤカバー１２の背面は、側面視でほぼ直線又は極く僅かの曲線に構成されているので、背面には土が堆積することはない。
【００２２】
なお、前述のように、培土器装着時には、ノブ２６を弛めて中空三角板２３を外し、両尾輪使用時には、ビス２８を弛めてカバー２７，２７’を外し、それぞれ、リヤカバー１２の切欠き部との間に最小隙間を保って、培土器及び両尾輪装着の空間を確保するようになっている。
【００２３】
更に、リヤカバー３０を、図８，図９及び図１０に示すように、側面視で中間部３０ｃから先端部３０ｂにかけて前方に湾曲した曲線形状の均一厚さの、樹脂部材で形成し、その背面に補強を兼ねて、上部３０ａと先端部３０ｂを連結する上方に向かって開口したコ字形断面形状の左右２個のブラケット３１を固設することも可能である。
【００２４】
本案の場合、一方側のブラケット３１は、図１０に示すように、上方に向かい２個のボス３１ａ及びボス３１ｂを有し、後方のボス３１ａは、前記加圧用のロッド２１の下部支点となり、前方のボス３１ｂは、耕深安定用のロッド３２の下部支点とっている。
【００２５】
リヤカバー３０の、耕耘土の抵抗による回動量は、ロッド３２、リンクアーム３３、更にリンクアーム３３の他端に接続したワイヤケーブル３４及び農用トラクタ１に設けられたリンク３５を介し、農用トラクタ１本体の油圧を制御し、耕耘土の抵抗を一定にし、安定した耕耘作業ができるようになっている。
【００２６】
なお、リヤカバー３０の上端部には、樹脂部材を挟んで、金属製の支点ブラケット３６がボルト３７によって固定され、前記シャフト１０ｃの回りに回動自在にリヤカバー３０を懸垂している。
【００２７】
また、リヤカバー３０の先端部３０ｂにも、樹脂部材を挟んで、金属製のＵ字形状の先端金具３８を設けることによって、図１１に示すように、リヤカバー３０の左右両端に設けた両尾輪不使用時のカバー３９装着時に、カバー３９側から突設した案内棒３９ａをリヤカバー３０側の前記先端金具３８のＵ字空間に挿入することによって、リヤカバー３０とカバー３９の固定を確実にすると共に、上方１箇所ノブ２６で固定するだけで、工具を使用することなく、カバー３９を着脱することができる。
【００２８】
本案の場合も、培土器及び両尾輪装着の場合のために、中央部及び左右両端に着脱可能な三角カバー４０、カバー３９をリヤカバー３０に固定することは、本実施例と同様である。
【００２９】
【発明の効果】
本発明は、走行機体の後方に、リンク装置を介して昇降可能に装着されたロータリを備え、該ロータリの耕耘爪軸を覆うロータリカバーの後部に、回動自在に軸支されたリヤカバーを有するロータリのリヤカバー装置において、前記リヤカバーを一体成形の樹脂部材で形成し、前記リヤカバーはその断面を密閉された空洞を有する袋状にしてなり、前記リヤカバーの背面をほぼ直線状にすると共に、前面は、前方に向け、側面視で上部及び下方先端部よりも中間部が厚くなるように曲線に構成したので、リヤカバーを軽量にすることができ、かつ、前面の土の付着もなく、先端部による土の引きずりもなく、表面を均平に仕上げ可能となり、耕耘性能を向上させることができた。
【図面の簡単な説明】
【図１】本実施の形態におけるロータリ装着時の側面図である。
【図２】本実施の形態におけるリヤカバーの後面図である。
【図３】図２の側面図である。
【図４】図２のＡーＡ断面図である。
【図５】図２のＢーＢ断面図である。
【図６】図２のＣーＣ断面図である。
【図７】図２のＤーＤ断面図である。
【図８】別案のロータリ装着時の側面図である。
【図９】別案のリヤカバーの後面図である。
【図１０】図９の側面図である。
【図１１】図９の詳細後面図である。
【符号の説明】
３        ロータリ
７        耕耘爪
１０        回動フレーム
１２        リヤカバー
１３        加圧スプリング
１５        支点ブラケット
２１        ロッド
２３        中空三角板
２６        ノブ
３０        リヤカバ
４０        三角カバー
【図１】
0003568648.tif 000002
【図２】
0003568648.tif 000003
【図３】
0003568648.tif 000004
【図４】
0003568648.tif 000005
【図５】
0003568648.tif 000006
【図６】
0003568648.tif 000007
【図７】
0003568648.tif 000008
【図８】
0003568648.tif 000009
【図９】
0003568648.tif 000010
【図１０】
0003568648.tif 000011
【図１１】
0003568648.tif 000012